(57)【特許請求の範囲】
【請求項１】
放電灯を点灯する点灯手段と、放電灯の調光比を制御する制御手段と、放電灯の累積点灯時間を記憶する記憶手段を備え、前記制御手段は、累積点灯時間に応じて減少する放電灯の光束を補うように調光比を制御し、所定時間内の電源供給の変化を所定回数行うことにより、累積点灯時間をリセットする手段を備え、累積点灯時間をリセットするための所定回数より少ない所定回数に達した時に、通常の制御手段での調光比とは異なる所定の調光比で、所定時間点灯することを特徴とする放電灯点灯装置。
【請求項２】
放電灯の累積点灯時間が、放電灯の定格寿命を越えた時に限り、累積点灯時間をリセットすることを特徴とする請求項１記載の放電灯点灯装置。
【請求項３】
累積点灯時間をリセットするための所定回数に達した時に、通常の制御手段での調光比とは異なる所定の調光比で、所定時間点灯することを特徴とする請求項１または２に記載の放電灯点灯装置。
【請求項４】
請求項１〜３のいずれかに記載の放電灯点灯装置を備えた照明器具と、これと組み合わせて供給される電源の変化、およびその変化の所定回数の繰り返しを自動で行うスイッチを備えた照明システム。
【発明の詳細な説明】
【技術分野】
【０００１】
本発明は、放電灯の累積点灯時間に依らず、光出力が略一定になるよう制御する放電灯点灯装置および照明システムに関するものである。
【背景技術】
【０００２】
放電灯の光束は、使用を開始した直後は定格値よりも高く、累積点灯時間に応じて減退することが知られている。つまり、放電灯を用いた照明器具では、使用時間に従って、下面照度が徐々に低下する。従来より、このような放電灯の光束減退を補正する手段として、累積点灯時間を計時し、これに応じて光束の減退にほぼ見合う程度に放電灯の調光比を上げていくように制御することにより、累積点灯時間に依らず、光出力を略一定に保つことができる放電灯点灯装置がある。計時した累積点灯時間は、不揮発性メモリ等の記憶手段に随時書き込み、これを参照して放電灯の調光比を決定する。
【０００３】
このような制御を行う放電灯点灯装置では、ランプを新品に交換した際に、累積点灯時間をリセットする必要がある。特開２０００−２２３２９６は、そのための手段として、放電灯点灯装置へ供給される電源の所定時間内のＯＮ／ＯＦＦ操作により、その回数をカウントして所定回数を超えた時に、累積点灯時間をリセットするものである。
【０００４】
この手段によれば、個々の照明器具にリセットのためのスイッチを設けることが不要であり、専用器具を製造するためのコストを抑え、既存の照明器具の放電灯点灯装置の置き換えに利用することもできる。
【特許文献１】特開２０００−２２３２９６号公報
【発明の開示】
【発明が解決しようとする課題】
【０００５】
前記従来例では、所定時間内のＯＮ／ＯＦＦの回数によって累積点灯時間のリセットを行うために、もし使用者がそのような仕様であることを知らなかった場合、何らかの理由で電源をＯＮ／ＯＦＦしたら、意図せずリセットする恐れがある。
【０００６】
また、１つの電源系統に複数の照明器具が設置される環境において、その内の１台の放電灯のみ新品に交換した場合、この操作を行うと、新品の放電灯に交換していない残りの照明器具の累積点灯時間までリセットされることになり、光出力が暗くなってしまう。本従来例では、そのような場合でも、過度に暗くして目立たせて交換を促すとしているが、これを望まず、定格寿命まで放電灯を使いたい使用者にとっては、単に照明環境を損なうだけで、所望の動作とは言えない。
【０００７】
また、仮に使用者が意図せず上記の操作を行ってしまいそうになった時、あるいは、上記の操作をしてしまった時に、リセットする前に累積点灯時間がリセットされようとしていることを報知したり、それを見た使用者がリセットしないように操作をキャンセルしたりすることもできない。
【０００８】
本発明は、上記の点に鑑みてなされたものであり、累積点灯時間に依らず光出力を略一定とする照明装置において、累積点灯時間のリセット操作を専用のリセットスイッチを設けることなく簡単に行うことができると共に、使用する放電灯を定格寿命まで使い切ることができ、さらに使用者による意図しない累積点灯時間のリセットを未然に防ぐことを可能とする放電灯点灯装置を提供するものである。
【課題を解決するための手段】
【０００９】
請求項１の放電灯点灯装置は、上記の課題を解決するために、放電灯を点灯する点灯手段（インバータ回路１）と、放電灯９の調光比を制御する制御手段（制御回路５）と、放電灯９の累積点灯時間を記憶する記憶手段（記憶回路８）を備え、前記制御手段（制御回路５）は、累積点灯時間に応じて減少する放電灯の光束を補うように調光比を制御し、所定時間内の電源供給の変化を所定回数行うことにより、累積点灯時間をリセットする手段を備え、累積点灯時間をリセットするための所定回数より少ない所定回数に達した時に、通常の制御手段での調光比とは異なる所定の調光比で、所定時間点灯することを特徴とする。
請求項２の発明は、請求項１において、放電灯の累積点灯時間が、放電灯の定格寿命を越えた時に限り、累積点灯時間をリセットすることを特徴とする。
【００１０】
請求項３の発明は、請求項１または２において、累積点灯時間をリセットするための所定回数に達した時に、通常の制御手段での調光比とは異なる所定の調光比で、所定時間点灯することを特徴とする。
【００１１】
請求項４の発明は、請求項１〜３のいずれかに記載の放電灯点灯装置を備えた照明器具と、これと組み合わせて供給される電源の変化、およびその変化の所定回数の繰り返しを自動で行うスイッチを備えた照明システムである。
【発明の効果】
【００１２】
以上のように、本発明によれば、放電灯の累積点灯時間に依らず、光出力が略一定になるよう制御する放電灯点灯装置において、累積点灯時間のリセット手段として、特別なスイッチ等を設けることなく、供給電源によってリセット操作を行うことが可能であり、さらに、使用者が意図せずリセットがされないように配慮した放電灯点灯装置を提供することができる。
【発明を実施するための最良の形態】
【００１３】
以下、本発明を実施するための形態について説明するが、後述の実施形態７が請求項１の構成に対応しており、その他の実施形態は前提となる構成または付加的な構成として説明する。
（実施形態１）
本発明の実施形態１に係る放電灯点灯装置の概略構成を説明するためのブロック図を図１に示す。図１において、放電灯点灯装置１は、電源回路２，チョッパ回路３，インバータ回路４，制御回路５，無負荷検出回路６，カウンタ７，記憶回路８，放電灯９を備え、交流電源ＶにスイッチＳを介して接続される。スイッチＳをＯＮすると、放電灯点灯装置１に交流電源Ｖが供給される。制御回路５は、チョッパ回路３が有するスイッチング素子を適宜スイッチングして直流電圧を生成し、この直流電圧をインバータ回路４が有するスイッチング素子を高周波で適宜スイッチングして高周波電圧に変換して放電灯９へ供給することにより、放電灯９を点灯させる。また、制御回路５は、インバータ回路４のスイッチング周波数を調整することにより、放電灯９の調光比を制御する。制御回路５は、チョッパ回路３が生成する直流電圧をモニタして、電源Ｖの供給の有無を検出する。電源が遮断されれば、チョッパ回路３のスイッチングを停止し、インバータ回路４のスイッチングも停止する。無負荷検出回路６は、放電灯９が放電灯点灯装置１に取り付けられているかを検出して、これを制御回路５へ伝える。無負荷検出回路６が無負荷であることを検出すると、制御回路５は、電源が遮断された時と同様に、チョッパ回路３およびインバータ回路４のスイッチングを停止する。
【００１４】
制御回路５は、電源供給時であって、かつ無負荷検出回路６により負荷があると検出されている期間を、累積点灯時間として計時する。この計時は、一定周期でカウントを行うカウンタ７のカウント値に基づく。逆を言えば、制御回路５は、電源遮断時、あるいは無負荷である時は、累積点灯時間の計時を停止する。制御回路５は、累積点灯時間に基づいて調光比を決定し、その調光比で放電灯９が点灯するようにインバータ回路４のスイッチングを制御する。調光比の決定は、制御回路５において累積点灯時間と調光比を関連づけたデータテーブルを用いてもよいし、所定の演算式により算出してもよいが、累積点灯時間に応じて減少する放電灯の光束を補うように、徐々に調光比を上げていくよう値を決定するものである。このようにして、放電灯９の累積点灯時間に依らず、光出力を略一定にしている。放電灯点灯装置１が行うこの動作を、以下では初期照度補正動作と呼ぶ。
【００１５】
電源回路２は、電源が遮断されても、制御回路５，記憶回路８をある程度の時間は動作できるだけの容量を蓄えられるようになっている。この時間は、後述する記憶回路８へのデータ書き込みが完了する時間よりも長い時間である必要がある。制御回路５は、計時した累積点灯時間を随時、記憶回路８へ書き込み、スイッチＳをＯＦＦしても、それまで計時した時間を保持できるようにしている。再度、スイッチＳをＯＮすると、制御回路５は記憶回路８から累積点灯時間を読み出し、その値から初期照度補正を継続する。記憶回路８には、累積点灯時間と共に、後述のリセット条件回数も記憶できるようになっている。
【００１６】
以上において、累積点灯時間をリセットする手段を下記に示す。本例においては、リセット成立条件回数を３とする。本例では、所定時間内の電源ＯＦＦ→ＯＮの変化を所定回数繰り返す場合について示す。
図２にタイミングチャートを示す。
【００１７】
＜ステップ１（電源ＯＮ１回目）＞
放電灯９が放電灯点灯装置１に取り付けられている状態で、スイッチＳをＯＮすると、制御回路５は、記憶回路８から累積点灯時間と共にリセット条件回数を読み出す。この時、リセット条件回数には０が書き込まれているとする。制御回路５は、リセット条件回数が０であったので、前述の初期照度補正動作を開始すると共に、電源供給時間Ｔｏｎ１の計時を行う。リセット条件回数が０でなかった場合については後述する。この計時も、累積点灯時間と同様にカウンタ７に基づいて行う。制御回路５が電源遮断を検出するか、あるいは予め制御回路５に設定された所定時間Ｔ１まで達したら、Ｔｏｎ１の計時を停止する。
【００１８】
Ｔｏｎ１がＴ１に達すれば、初期照度補正動作をそのまま継続して行う。
Ｔｏｎ１がＴ１に達するまでに、スイッチＳをＯＦＦすれば、リセット条件回数として１を直ちに記憶回路８に書き込む。前述の通り、電源が遮断されても、制御回路５および記憶回路８は、電源回路２によってある程度の時間は動作を続けられる。
Ｔｏｎ１がＴ１に達した後にスイッチＳをＯＦＦした場合は、記憶回路８のリセット条件回数を０とする。
【００１９】
＜ステップ２（電源ＯＮ２回目）＞
＜ステップ１＞の後、再度スイッチＳをＯＮすると、＜ステップ１＞と同様に、記憶回路８からリセット条件回数を読み出す。これが０であれば、再度＜ステップ１＞を行うことになる。
【００２０】
１を読み出せば、＜ステップ１＞と同様に、前述の初期照度補正動作を開始すると共に、電源供給時間Ｔｏｎ２の計時を行う。この計時も、カウンタ７に基づいて行う。制御回路５が電源遮断を検出するか、あるいは予め制御回路５に設定された所定時間Ｔ２まで到達したら、Ｔｏｎ２の計時を停止する。
【００２１】
Ｔｏｎ２がＴ２に達すれば、初期照度補正動作をそのまま継続して行う。
Ｔｏｎ２がＴ２に達するまでに、スイッチＳをＯＦＦすれば、リセット条件回数として２を直ちに記憶回路８に書き込む。
Ｔｏｎ２がＴ２に達した後にスイッチＳをＯＦＦした場合は、記憶回路８のリセット条件回数として０を書き込む。
【００２２】
＜ステップ３（電源ＯＮ３回目）＞
＜ステップ２＞の後、再度スイッチＳをＯＮすると、＜ステップ２＞と同様に、記憶回路８からリセット条件回数を読み出す。これが０であれば、再度＜ステップ１＞を行うことになる。
【００２３】
２を読み出せば、＜ステップ２＞と同様に、前述の初期照度補正動作を開始すると共に、電源供給時間Ｔｏｎ３の計時を行う。この計時も、カウンタ７に基づいて行う。制御回路５が電源遮断を検出するか、あるいは予め制御回路５に設定された所定時間Ｔ３まで到達したら、Ｔｏｎ３の計時を停止する。
【００２４】
Ｔｏｎ３がＴ３に達すれば、初期照度補正動作をそのまま継続して行う。
Ｔｏｎ３がＴ３に達するまでに、スイッチＳをＯＦＦすれば、リセット条件回数として３を直ちに記憶回路８を書き込む。
Ｔｏｎ３がＴ３に達した後にスイッチＳをＯＦＦした場合も、記憶回路８のリセット条件回数として０を書き込む。
【００２５】
＜ステップ４（電源ＯＮ４回目）＞
＜ステップ３＞の後、再度スイッチＳをＯＮすると、＜ステップ３＞と同様に、記憶回路８からリセット条件回数を読み出す。これが０であれば、再度＜ステップ１＞を行うことになる。
【００２６】
３を読み出せば、制御回路５は予めリセット成立条件回数を３と設定されているので、読み出した値はこれと一致する。よって、制御回路５は、累積点灯時間をクリアして、クリアした累積点灯時間を記憶回路８に書き込み、前述の初期照度補正動作を開始する。また、リセット条件回数を０に戻す。
【００２７】
このようにすることで、既存の電源ラインに接続されているスイッチを用いて、累積点灯時間をリセットすることが可能となり、専用のリセットスイッチを設けることなく簡単に行うことができる。
【００２８】
以上において、本例では、放電灯の点灯回路をチョッパ回路とインバータ回路を用いたものとして示したが、本発明は累積点灯時間のリセット手段を示すものであって、その効果は、放電灯を調光することが可能な点灯回路であれば、どのような形態でも変わらない。
【００２９】
本例では、累積点灯時間のリセットは、スイッチＳを用いた電源供給，遮断によって行うようにしているが、電源の変化を検出するようにしてもよい。例えば、図３のように、前述のスイッチＳによる電源供給を２００Ｖ電圧供給とし、電源遮断を１００Ｖ電圧供給としても、制御回路５はチョッパ回路３の出力によって、その変化を検出することが可能であり、本例と同様の操作を実現することができる。
【００３０】
本例において、Ｔ１，Ｔ２，Ｔ３は全て同じ値であってもよい。リセット操作のためのステップ（電源ＯＮ回数）およびリセット成立条件回数は３に限るものではなく、１回以上で何回でもよい。
【００３１】
（実施形態２）
実施形態１と同様の構成であり、その動作のみを以下に示す。本例では、所定時間内の電源ＯＮ→ＯＦＦの変化を所定回数繰り返す場合について示す。図４にタイミングチャートを示す。
【００３２】
また、本例では、電源回路２は、電源が遮断されても、制御回路５，カウンタ７，記憶回路８をある程度の時間は動作できるだけの容量を蓄えられるようになっている。この時間は、後述する記憶回路８へのデータ書き込みが完了する時間よりも長い時間である必要がある。
【００３３】
＜ステップ１（電源ＯＦＦ１回目）＞
放電灯９が放電灯点灯装置１に取り付けられ、スイッチＳがＯＮしており、前述の初期照度補正動作をしている状態で、スイッチＳをＯＦＦすると、制御回路５は、リセット条件回数を読み出し、これが０であったとする。制御回路５は、リセット条件回数が０であったので、電源遮断時間Ｔｏｆｆ１の計時を行う。この計時も、カウンタ７に基づいて行う。制御回路５が電源供給を検出するか、あるいは予め制御回路５に設定された所定時間Ｔ１まで達したら、Ｔｏｆｆ１の計時を停止する。ここでの動作は、電源が遮断している状態で、電源回路２で蓄えていた電力で行われる。そのため、動作時間は限られており、Ｔ１はその時間よりも短くなければならない。
【００３４】
Ｔｏｆｆ１がＴ１に達すれば、初期照度補正動作を行う。Ｔｏｆｆ１がＴ１に達するまでにスイッチＳをＯＮすれば、リセット条件回数として１を記憶回路８に書き込み、初期照度補正動作を行う。
【００３５】
＜ステップ２（電源ＯＦＦ２回目）＞
＜ステップ１＞の後、再度スイッチＳをＯＦＦすると、＜ステップ１＞と同様に、記憶回路８からリセット条件回数を読み出す。これが０であれば、再度＜ステップ１＞を行うことになる。
【００３６】
１を読み出せば、＜ステップ１＞と同様に、電源遮断時間Ｔｏｆｆ２の計時を行う。この計時も、カウンタ７に基づいて行う。制御回路５が電源の供給を検出するか、あるいは予め制御回路５に設定された所定時間Ｔ２まで達したら、Ｔｏｆｆ２の計時を停止する。ここでの動作も、電源が遮断している状態で、電源回路２で蓄えていた電力で行われる。そのため、動作時間は限られており、Ｔ２はその時間よりも短くなければならない。
【００３７】
Ｔｏｆｆ２がＴ２に達すれば、リセット条件回数を“条件未成立”に戻して、初期照度補正動作を行う。Ｔｏｆｆ２がＴ２に達するまでにスイッチＳをＯＮすれば、リセット条件回数として２を記憶回路８に書き込み、初期照度補正動作を行う。
【００３８】
＜ステップ３（電源ＯＦＦ３回目）＞
＜ステップ２＞の後、再度スイッチＳをＯＦＦすると、＜ステップ２＞と同様に、記憶回路８からリセット条件回数を読み出す。これが０であれば、再度＜ステップ１＞を行うことになる。
【００３９】
２を読み出せば、＜ステップ２＞と同様に、電源遮断時間Ｔｏｆｆ３の計時を行う。この計時も、カウンタ７に基づいて行う。制御回路５が電源の供給を検出するか、あるいは予め制御回路５に設定された所定時間Ｔ３まで達したら、Ｔｏｆｆ３の計時を停止する。ここでの動作も、電源が遮断している状態で、電源回路２で蓄えていた電力で行われる。そのため、動作時間は限られており、Ｔ３はその時間よりも短くなければならない。
【００４０】
Ｔｏｆｆ３がＴ３に達すれば、リセット条件回数を０に戻して、初期照度補正動作を行う。Ｔｏｆｆ３がＴ３に達するまでにスイッチＳをＯＮすれば、リセット条件回数として３を記憶回路８に書き込み、初期照度補正動作を行う。
【００４１】
＜ステップ４（電源ＯＦＦ４回目）＞
＜ステップ３＞の後、再度スイッチＳをＯＦＦすると、＜ステップ３＞と同様に、記憶回路８からリセット条件回数を読み出す。これが０であれば、再度＜ステップ１＞を行うことになる。
【００４２】
３を読み出せば、制御回路５は予めリセット条件回数を３と設定されているので、読み出した値はこれと一致する。よって、制御回路５は、記憶回路５の累積点灯時間をクリアすると共に、リセット条件回数を０に戻す。次に、スイッチＳがＯＮになれば、その時に記憶回路８から読み出す累積点灯時間はクリアされたものになっている。
【００４３】
このようにすることで、既存の電源ラインに接続されているスイッチを用いて、累積点灯時間をリセットすることが可能となり、専用のリセットスイッチを設けることなく簡単に行うことができる。
【００４４】
以上において、Ｔ１，Ｔ２，Ｔ３は全て同じ値であってもよい。リセット操作のためのステップ（電源ＯＦＦ回数）およびリセット成立条件回数は、３に限るものではなく、１回以上で何回でもよい。
【００４５】
（実施形態３）
実施形態１と同様の構成であり、その動作のみを以下に示す。本例では、所定時間内の電源ＯＦＦ→ＯＮ、およびＯＮ→ＯＦＦの変化を所定回数繰り返す場合について示す。
図５にタイミングチャートを示す。
【００４６】
＜ステップ１（電源ＯＮ１回目）＞
放電灯９が放電灯点灯装置１に取り付けられている状態で、スイッチＳをＯＮすると、制御回路５は、前述の初期照度補正動作を開始すると共に、電源供給時間Ｔｏｎ１の計時を行う。この計時も、累積点灯時間と同様にカウンタ７に基づいて行う。制御回路５が電源の遮断を検出するか、あるいは予め制御回路５に設定された所定時間Ｔ１まで達したら、Ｔｏｎ１の計時を停止する。
【００４７】
Ｔｏｎ１がＴ１に達すれば、初期照度補正動作をそのまま継続して行う。
Ｔｏｎ１がＴ１に達するまでに、スイッチＳをＯＦＦすれば、電源遮断時間Ｔｏｆｆ２の計時を開始する。前述の通り、電源が遮断されても、制御回路５およびカウンタ７は、電源回路２によってある程度の時間は動作を続けられる。
Ｔｏｎ１がＴ１に達した後にスイッチＳをＯＦＦした場合は、＜ステップ１＞を最初からやり直す。
【００４８】
＜ステップ２（電源ＯＦＦ１回目）＞
Ｔｏｆｆ２の計時も、カウンタ７に基づいて行う。Ｔｏｆｆ２の計時は、電源回路２で蓄えていた制御回路５およびカウンタ７を動作するための電力がなくなり、そのまま停止するまで続ける。Ｔｏｆｆ２計時中にスイッチＳをＯＮすると、制御回路５は、電源の供給を検出して、Ｔｏｆｆ２の計時を停止し、予め制御回路５に設定された所定時間Ｔ２と比較する。
【００４９】
Ｔｏｆｆ２がＴ２以上であれば、初期照度補正動作を行う。再度、累積点灯時間のリセットを行う場合は、＜ステップ１＞からやり直しとなる。
Ｔｏｆｆ２がＴ２未満であれば、初期照度補正動作を行うと共に、電源供給時間Ｔｏｎ３の計時を開始する。
【００５０】
＜ステップ３（電源ＯＮ２回目）＞
＜ステップ１＞と同様に、Ｔｏｎ３の計時は、制御回路５が電源の遮断を検出するか、あるいは予め制御回路５に設定された所定時間Ｔ３まで達したら、Ｔｏｎ３の計時を停止する。
【００５１】
Ｔｏｎ３がＴ３に達すれば、初期照度補正動作をそのまま継続して行う。
Ｔｏｎ３がＴ３に達するまでに、スイッチＳをＯＦＦすれば、電源遮断時間Ｔｏｆｆ４の計時を開始する。前述の通り、電源が遮断されても、制御回路５およびカウンタ７は、電源回路２によってある程度の時間は動作を続けられる。
Ｔｏｎ３がＴ３に達した後に、スイッチＳをＯＦＦした場合は、＜ステップ１＞を最初からやり直す。
【００５２】
＜ステップ４（電源ＯＦＦ２回目）＞
＜ステップ２＞と同様に、Ｔｏｆｆ４の計時中にスイッチＳをＯＮすると、制御回路５は、電源の供給を検出して、Ｔｏｆｆ４の計時を停止し、予め制御回路５に設定された所定時間Ｔ４と比較する。
【００５３】
Ｔｏｆｆ４がＴ４以上であれば、初期照度補正動作を行う。再度、累積点灯時間のリセットを行う場合は、＜ステップ１＞からやり直しとなる。
Ｔｏｆｆ４がＴ４未満であれば、初期照度補正動作を行うと共に、記憶回路８に書き込まれていた累積点灯時間をリセットする。この時、制御回路５は、記憶回路８から累積点灯時間を読み出して、そこから計時を継続することはしない。以降、リセットした累積点灯時間に基づいて、初期照度補正動作を行う。
【００５４】
このようにすることで、既存の電源ラインに接続されているスイッチを用いて、累積点灯時間をリセットすることが可能となり、専用のリセットスイッチを設けることなく簡単に行うことができる。また、実施形態１，２のように、リセット操作のための電源のＯＮあるいはＯＦＦの回数を記憶させておく必要もなく、制御回路においても処理を簡略化することができる。
【００５５】
以上において、Ｔ１，Ｔ２，Ｔ３，Ｔ４は全て同じであってもよい。リセット操作のステップは、これよりさらに増えてもよい。例えば、上記の＜ステップ３＞の後に、＜ステップ２＞と同じ内容の＜ステップ４’＞、＜ステップ３＞と同じ内容の＜ステップ５’＞を付け加えて、＜ステップ４＞と同じ内容の＜ステップ６’＞でリセットするようにすることも可能である。
【００５６】
リセット操作のためのステップ（電源ＯＮ回数およびＯＦＦ回数）は、４に限るものではなく、２回以上で何回でもよい。
【００５７】
（実施形態４）
本例は、実施形態１において、累積点灯時間が放電灯の定格寿命を越えた時に限り、リセット手段が機能するようにしたものである。構成は、実施形態１と同様であるので省略する。実施形態１の＜ステップ１＞を、次のように変更する。
【００５８】
＜ステップ１＞
放電灯９が放電灯点灯装置１に取り付けられている状態で、スイッチＳをＯＮすると、制御回路５は、まず記憶回路８から累積点灯時間を読み出す。この値が予め設定された放電灯の定格寿命よりも小さい場合は、初期照度補正動作を行うだけである。予め設定された放電灯の定格寿命以上の場合、次にリセット条件回数を読み出す。この時、リセット条件回数には０が書き込まれているとする。
【００５９】
以降は、実施形態１の＜ステップ１＞と同様であり、制御回路５は、リセット条件回数が０であったので、前述の初期照度補正動作を開始すると共に、電源供給時間Ｔｏｎ１の計時を行う。リセット条件回数が０でなかった場合については後述する。この計時も、累積点灯時間と同様にカウンタ７に基づいて行う。制御回路５が電源の遮断を検出するか、あるいは予め制御回路５に設定された所定時間Ｔ１まで達したら、Ｔｏｎ１の計時を停止する。
【００６０】
Ｔｏｎ１がＴ１に達すれば、初期照度補正動作をそのまま継続して行う。
Ｔｏｎ１がＴ１に達するまでに、スイッチＳをＯＦＦすれば、リセット条件回数として１を直ちに記憶回路８に書き込む。前述の通り、電源が遮断されても、制御回路５および記憶回路８は、電源回路２によってある程度の時間は動作を続けられる。
Ｔｏｎ１がＴ１に達した後にスイッチＳをＯＦＦした場合は、記憶回路８のリセット条件回数を０に戻す。
【００６１】
＜ステップ２＞以降についても同様で、累積点灯時間を読み出す。この値が予め設定された放電灯の定格寿命以上の場合のみ、リセット条件回数を読み出す。従って、累積点灯時間が定格寿命より小さい場合は、リセットされることはない。
【００６２】
このようにすることで、放電灯の累積点灯時間に依らず無条件にリセットすることを防ぐことができる。例えば、１つのスイッチを介して複数台の本放電灯点灯装置に電源を供給している場合にも、定格寿命を越えた放電灯が取り付けられているものだけをリセットすることが可能であり、他の新しい放電灯が取り付けられているものについてはリセットしないので、使用者は全ての放電灯を定格寿命まで使用することができ、放電灯に要する費用を抑えることができる。
【００６３】
本例では、実施形態１をベースに示したが、実施形態２でも同様であり、リセット条件回数を読み出す前に、累積点灯時間を読み出して、定格寿命と比較すれば、本例と同様の効果を得られる。実施形態３では、累積点灯時間と定格寿命の比較を行って、電源供給時間のカウントを行うか否かを決めればよい。
【００６４】
（実施形態５）
本例は、実施形態１において、累積点灯時間をリセットするための所定回数に達した時に、通常の制御手段での調光比とは異なる所定の調光比で、所定時間点灯するようにしたものである。構成は、実施形態１と同様であるので省略する。
実施形態１の＜ステップ４＞を、次のように変更する。図６にタイミングチャートを示す。
【００６５】
＜ステップ４＞
＜ステップ３＞の後、再度スイッチＳをＯＮすると、＜ステップ３＞と同様に、記憶回路８からリセット条件回数を読み出す。これが０であれば、再度＜ステップ１＞を行うことになる。
【００６６】
３を読み出せば、累積点灯時間をクリアして、クリアした累積点灯時間を記憶回路８に書き込み、リセット条件回数を０に戻し、予め制御回路５に設定された所定の調光比で放電灯９を所定時間だけ点灯させる。例えば、スイッチＳをＯＮして電源が供給されてから１０秒間だけフル点灯（調光比１００％）で点灯させる。所定時間経過後、初期照度補正動作を開始する。
【００６７】
このようにすることで、放電灯の累積点灯時間がリセットしたことを、使用者に知らせることができる。もし、使用者がリセットのための操作を意図せず行ってしまった場合、実施形態１では、すぐにリセットした累積点灯時間に基づいて初期照度補正動作を行うため、これまでの放電灯の光出力に対して急に暗くなり、放電灯点灯装置の故障と間違えかねない。本例では、これを視覚的に報知することが可能となる。
【００６８】
以上において、所定の調光比と所定時間は、特に制限はなく、使用者に報知するのに十分な値で設定すればよい。また、所定の調光比は、例えば、フル点灯と７０％調光の繰り返しのような、消灯も含む２つの調光比を用いた手段であっても構わない。
【００６９】
（実施形態６）
本例は、実施形態５において、累積点灯時間の初期化は、所定時間後に行うようにしたものである。図７にタイミングチャートを示す。
【００７０】
実施形態５において、３を読み出した時、リセット条件回数を０に戻し、予め制御回路５に設定された所定の調光比で放電灯９を所定時間だけ点灯させるが、累積点灯時間のクリア、およびクリアした累積点灯時間の記憶回路８への書き込みは、まだこの時点では行わない。実施形態５と同様に、１０秒間フル点灯するように、予め制御回路５に設定していたとすると、１０秒経過後に、累積点灯時間のクリアを行い、クリアした累積点灯時間を記憶回路８に書き込み、初期照度補正動作を開始する。フル点灯している１０秒間は、その１０秒の計時を行うだけで、累積点灯時間の計時は行わない。
【００７１】
このようにすることで、累積点灯時間のリセット操作を行った後でも、すぐにはリセットせず、使用者に累積点灯時間がリセットしようとしていることを知らせて、これをキャンセルするための猶予を与えることができる。もし、使用者がリセットのための操作を意図せず行ってしまった場合に、使用者はこの報知動作を見て、直ちに電源をＯＦＦすれば、これが猶予時間（１０秒間）内であれば、リセットさせないことが可能となる。
【００７２】
以上において、所定の調光比と所定時間は、特に制限はなく、使用者に報知するのに十分な値で設定すればよい。
【００７３】
（実施形態７）
本例は、実施形態１において、累積点灯時間をリセットするための所定回数とは異なる、これより少ない所定回数に達した時に、通常の制御手段での調光比とは異なる所定の調光比で点灯するようにしたものである。構成は、実施形態１と同様であるので省略する。
実施形態１の＜ステップ３＞を、次のようにする。図８にタイミングチャートを示す。
【００７４】
＜ステップ３＞
＜ステップ２＞の後、再度スイッチＳをＯＮすると、＜ステップ２＞と同様に、記憶回路８からリセット条件回数を読み出す。これが０であれば、再度＜ステップ１＞を行うことになる。
【００７５】
２を読み出せば、予め制御回路５に設定された所定の調光比で放電灯９を点灯させる。例えば、スイッチＳをＯＮして電源が供給されてからフル点灯（調光比１００％）で点灯させる。ここでは初期照度補正動作は行わない。これと共に、電源供給時間Ｔｏｎ３の計時を行う。この計時も、カウンタ７に基づいて行う。制御回路５が電源の遮断を検出するか、あるいは予め制御回路５に設定された所定時間Ｔ３まで到達したら、Ｔｏｎ３の計時を停止する。
【００７６】
Ｔｏｎ３がＴ３に到達すれば、初期照度補正動作をそのまま継続して行う。
Ｔｏｎ３がＴ３に到達するまでに、スイッチＳをＯＦＦすれば、リセット条件回数として３を直ちに記憶回路８を書き込む。
Ｔｏｎ３がＴ３に到達した後にスイッチＳをＯＦＦした場合も、記憶回路８のリセット条件回数を０に戻す。
【００７７】
このようにすることで、放電灯の累積点灯時間をリセットしようとしていることを、使用者に知らせることができる。もし、使用者がリセットのための操作を意図せず行ってしまった場合、実施形態１〜５では、リセットするまで気づかないことが考えられ、実施形態５にしても、リセットしてから報知するが、結局、累積点灯時間はリセットされてしまう。
【００７８】
よって、使用者がリセットしたくなかった場合には不親切である。実施形態６では、リセットをキャンセルすることはできるが、それは所定の猶予時間内に限られ、猶予時間を超えればリセットしてしまう。本例では、リセットする前に、これを視覚的に報知することが可能となる。また、本例の場合、使用者がこの報知動作を見てリセットさせたくなければ、このまま放置すれば、Ｔ３経過後に初期照度補正動作に戻れるので、時間に追われたりすることもない。
【００７９】
以上において、所定の調光比と所定時間は、特に制限はなく、使用者に報知するのに十分な値で設定すればよい。また、所定の調光比は、例えば、フル点灯と７０％調光の繰り返しのような、消灯も含む２つの調光比を用いた手段であっても構わない。
【００８０】
（実施形態８）
本例は、実施形態３で示した放電灯点灯装置を用いて、累積点灯時間のリセットを行うための操作を自動で行うスイッチと組み合わせた照明システムを示すものである。
【００８１】
本例に係る照明システムの概略構成を説明するためのブロック図を図９に示す。図中のスイッチＳおよび放電灯点灯装置１を構成する部位についての説明は、実施形態３と同じであるので省略する。図中のＳＢはスイッチブロックであり、リレーＲとリレーを制御する制御回路Ｃとリセット操作を行うためのスイッチＲＳを備える。スイッチＲＳは常時ＯＦＦの状態にある。制御回路Ｃの動作電源は交流電源Ｖより常時供給されている。制御回路Ｃには、予め実施形態３で示したＴ１〜Ｔ４よりも短い時間のＴ１’〜Ｔ４’が設定されている。
【００８２】
使用者が、手動で放電灯点灯装置１の電源供給をＯＮ／ＯＦＦする場合は、スイッチＳを用いればよい。使用者が、本照明システムの放電灯点灯装置１の累積点灯時間をリセットする場合は、スイッチＳをＯＦＦし、放電灯点灯装置への電源を遮断した状態にして、スイッチブロックＳＢのスイッチＲＳをＯＮする。制御回路ＣはスイッチＲＳがＯＮされると、リレーＲをＯＮして、放電灯点灯装置１へ電源を供給させる。Ｔ１’時間経過したら、リレーＲをＯＦＦして、放電灯点灯装置１への電源を遮断する。Ｔ２’時間経過したら、Ｔ３’だけリレーＲをＯＮする。Ｔ３’時間経過したら、リレーＲをＯＦＦする。Ｔ４’時間経過したら、リレーＲをＯＮする。これで、放電灯点灯装置１の累積点灯時間はリセットされる。この後、リレーＲをＯＦＦして、一連の動作を終了する。
【００８３】
このようにすることで、使用者自身で、スイッチのＯＮ時間やその回数、あるいはＯＦＦ時間やその回数を管理することが不要になり、極めて簡単にリセット操作を行うことが可能となる。
【００８４】
以上において、本例では、実施形態３で示したリセット操作を自動でスイッチボックスが行うようにしたが、実施形態１，２で示したリセット操作を行うようにすることも可能であり、制御回路Ｃがそのように予め設定されておればよい。さらには、全てのタイプのリセット操作をプログラムしておき、使用者に選択させるようにすれば、どのような放電灯点灯装置が接続されていても対応が可能となる。
【００８５】
本発明は、以上に説明した各実施形態を適宜組み合わせて実施してもよく、同様に本発明の効果を生じるものである。
【図面の簡単な説明】
【００８６】
【図１】本発明の実施形態１の構成を示すブロック図である。
【図２】本発明の実施形態１の動作説明図である。
【図３】本発明の実施形態１の他の構成を示すブロック図である。
【図４】本発明の実施形態２の動作説明図である。
【図５】本発明の実施形態３の動作説明図である。
【図６】本発明の実施形態５の動作説明図である。
【図７】本発明の実施形態６の動作説明図である。
【図８】本発明の実施形態７の動作説明図である。
【図９】本発明の実施形態８の構成を示すブロック図である。
【符号の説明】
【００８７】
１  放電灯点灯装置
２  電源回路
３  チョッパ回路
４  インバータ回路
５  制御回路
６  無負荷検出回路
７  カウンタ
８  記憶回路
９  放電灯
Ｖ  交流電源
Ｓ  スイッチ
【図１】
0004837332.tif 000002
【図２】
0004837332.tif 000003
【図３】
0004837332.tif 000004
【図４】
0004837332.tif 000005
【図５】
0004837332.tif 000006
【図６】
0004837332.tif 000007
【図７】
0004837332.tif 000008
【図８】
0004837332.tif 000009
【図９】
0004837332.tif 000010